(57)【特許請求の範囲】
【請求項１】
遊技機の球受け皿と遊技球をその発射方向へ発射可能な球発射装置との間に配設される球送り装置において、
前記球受け皿と前記球発射装置との間にて互いに間隔をおいて対向して当該球発射装置の上下方向に沿い延在する球受け皿側対向壁及び球発射装置側対向壁と、当該球受け皿側対向壁及び球発射装置側対向壁の間にて前記発射方向側上部からその逆方向斜め下方に向けて延出して少なくとも２個の遊技球を一列に整列させるに要する全長を有するように形成される球導入路とを具備して、前記球受け皿側対向壁の前記球導入路の上端開口部に対する対応部には、前記球受け皿から順次整列状に案内される遊技球を前記球導入路にその上端開口部から導入するように球導入口部を形成し、かつ前記球導入口部よりも前記発射方向とは反対方向へずれた位置には、前記球発射装置側対向壁のうち前記球受け皿側対向壁の前記球導入口部の斜め下方における前記球導入路の下端開口部に対応する対応部位にて、前記球導入路内に導入された遊技球を当該球導入路から前記下端開口部を介し前記球発射装置側へ送るように球送り口部を形成してなる収容体と、
前記球導入路の延出方向側にて前記球受け皿側対向壁及び球発射装置側対向壁の間に上下方向に傾動自在に支持されて前記球導入路の前記下端開口部に対向可能な球受け部及びこの球受け部から前記球導入路の延出方向側へ延出する他側部とを有する傾動部材と、
当該傾動部材の前記他側部に支持されて当該他側部を前記球受け皿側対向壁及び球発射装置側対向壁の各下端部間に形成した開放空間部を通し下方に向けて傾動させる錘とを備えて、
前記傾動部材は、
前記球導入路内に順次導入される遊技球を、当該球導入路内に少なくとも２個一列の整列状態にて、前記球受け部により前記錘の自重のもとに保持し、
また、前記錘の自重に抗して傾動することにより、前記球導入路内にて最下端に位置する遊技球を前記球受け部上に受承し、
然る後、前記錘の自重のもとに前記受承遊技球を前記球発射装置側対向壁の前記球送り口部から前記球発射装置側へ送るようにしたことを特徴とする球送り装置。
【請求項２】
前記球送り口部は、その内周縁部のうちその上側部位の中間部位から前記発射方向側部位の中間部位にかけて傾斜部位を傾斜状に形成してなることを特徴とする請求項１に記載の球送り装置。
【請求項３】
前記球送り口部は、前記発射方向側部位のうちの前記傾斜部位の下側部位と前記傾斜部位との境界を角形状とするように、前記発射方向側部位の前記下側部位から前記傾斜部位にかけて折れ曲がっていることを特徴とする請求項２に記載の球送り装置。
【請求項４】
球受け皿と、遊技球をその発射方向へ発射可能な球発射装置と、前記球受け皿と前記球発射装置との間に介装してなる球送り装置とを備える遊技機において、
前記球送り装置は、請求項１〜３のいずれか１つに記載の球送り装置であり、
前記球発射装置は、
一回転方向に回転する電気的回転手段と、
槌部を有する球打撃手段と、
回動アームとを備えて、
前記球打撃手段は、
前記電気的回転手段が第１回転角位置にあるとき前記槌部を遊技球に対する打撃位置に維持し、
前記電気的回転手段が前記第１回転角位置から第２回転角位置へ前記一回転方向に回転するにつれて、前記槌部を前記打撃位置から後退位置へ後退させ、
前記電気的回転手段が前記第２回転角位置に達したとき、前記槌部を前記後退位置から前記打撃位置へ復帰させるようになっており、
前記回動アームは、
前記槌部の前記打撃位置から前記後退位置への後退に伴い前記傾動部材を前記錘の自重に抗して傾動させるように回動し、
また、前記槌部の前記後退位置から前記打撃位置への復帰に伴い前記錘の自重のもとに受承遊技球を前記球発射装置側対向壁の前記球送り口部から前記球発射装置側へ送るように前記傾動部材を傾動させるべく回動し、
前記球打撃手段は、前記槌部により、前記後退位置から前記打撃位置への復帰に伴い、前記傾動部材の前記球受け部により前記球発射装置側対向壁の前記球送り口部から送られる遊技球を前記球発射装置側対向壁に沿い発射するようにしたことを特徴とする遊技機。
【発明の詳細な説明】
【技術分野】
【０００１】
本発明は、球送り装置及びこの球送り装置を備える遊技機に関する。
【背景技術】
【０００２】
従来、この種の球送り装置としては、下記特許文献に記載の球送り装置が提案されている。この球送り装置においては、球送り部材が、その磁性板にてソレノイドによりそのオンのもとに吸引されて回動し、球受け皿から導入口を通して送り込まれた球列の先頭球を球受け部に取り込んだ後、ソレノイドのオフに伴い上記球受け部を下方に回動して、上記先頭球を送出口から球発射レールに送出するようになっている。
【先行技術文献】
【特許文献】
【０００３】
【特許文献１】特開２００２−３３１０８０号公報
【発明の概要】
【発明が解決しようとする課題】
【０００４】
ところで、この種の球送り装置において、糸の先端部を遊技球の外面に固着した糸付き遊技球が、不正遊技者等により、球受け皿から球送り装置内に送り込まれると、当該糸付き遊技球は、球送り部材を介しその球受け部内に取り込まれた後、送出口から球発射レールに送出されて、発射装置により遊技盤の遊技領域に向けて発射される。これに伴い、糸付き遊技球は、その糸とともに遊技盤の盤面に沿い移動していくこととなる。このとき、上記糸の後端部は、球受け皿内にて、不正遊技者等により把持されている。
【０００５】
このため、不正遊技者等が、糸の後端部を把持しながら、上述のような糸付き遊技球の遊技盤の盤面に沿う転動状態にて、当該遊技球を不正に操ることで、遊技球を電動チューリップ等へ入賞を画策するおそれがある。
【０００６】
そこで、本発明は、以上のようなことに対処するため、球受け皿から球発射装置への遊技球の送り構成に工夫を凝らし、糸付き遊技球を用いた遊技盤の盤面における不正行為を未然に防止するようにした球送り装置及びこの球送り装置を備えるパチンコ遊技機を提供することを目的とする。
【課題を解決するための手段】
【０００７】
上記課題の解決にあたり、本発明に係る球送り装置は、請求項１の記載によれば、
遊技機の球受け皿と遊技球をその発射方向へ発射可能な球発射装置との間に配設されるものである。
【０００８】
当該球送り装置において、
球受け皿と球発射装置との間にて互いに間隔をおいて対向して当該球発射装置の上下方向に沿い延在する球受け皿側対向壁及び球発射装置側対向壁と、当該球受け皿側対向壁及び球発射装置側対向壁の間にて上記発射方向側上部からその逆方向斜め下方に向けて延出して少なくとも２個の遊技球を一列に整列させるに要する全長を有するように形成される球導入路とを具備して、球受け皿側対向壁の球導入路の上端開口部に対する対応部には、球受け皿から順次整列状に案内される遊技球を球導入路にその上端開口部から導入するように球導入口部を形成し、かつ上記球導入口部よりも上記発射方向とは反対方向へずれた位置には、上記球発射装置側対向壁のうち上記球受け皿側対向壁の上記球導入口部の斜め下方における球導入路の下端開口部に対応する対応部位にて、球導入路内に導入された遊技球を当該球導入路から上記下端開口部を介し上記球発射装置側へ送るように球送り口部を形成してなる収容体と、
球導入路の延出方向側にて上記球受け皿側対向壁及び上記球発射装置側対向壁の間に上下方向に傾動自在に支持されて球導入路の上記下端開口部に対向可能な球受け部及びこの球受け部から球導入路の延出方向側へ延出する他側部とを有する傾動部材と、
当該傾動部材の上記他側部に支持されて当該他側部を上記球受け皿側対向壁及び上記球発射装置側対向壁の各下端部間に形成した開放空間部を通し下方に向けて傾動させる錘とを備えて、
傾動部材は、
球導入路内に順次導入される遊技球を、当該球導入路内に少なくとも２個一列の整列状態にて、上記球受け部により錘の自重のもとに保持し、
また、錘の自重に抗して傾動することにより、球導入路内にて最下端に位置する遊技球を上記球受け部上に受承し、
然る後、錘の自重のもとに上記受承遊技球を上記球発射装置側対向壁の上記球送り口部から上記球発射装置側へ送るようにしたことを特徴とする。
【０００９】
これによれば、球受け皿内に貯留される遊技球が、順次、球導入口部を通して球導入路内に導入されると、当該各遊技球は、順次、球導入路内にてその下端開口部に向けて案内される。
【００１０】
現段階にて、傾動部材が、その球受け部にて、上述のように案内された各遊技球のうち球導入路の下端開口部に最初に達した遊技球を球受け部により錘の自重のもとに球導入路の下端開口部内に保持すれば、球導入路内には、少なくとも２個の遊技球が一列に整列して球受け部により保持される。
【００１１】
然る後、傾動部材が、錘の自重に抗して傾動すると、球導入路の最下端に位置する遊技球が球受け部により受承される。ついで、傾動部材が、錘の自重のもとに、球受け部にて受承済みの遊技球を、上記球送り口部から球発射装置へ送る。
【００１２】
ここで、上述した球導入路の最下端に位置する遊技球が糸付き遊技球である場合、当該糸付き遊技球は、糸を付随させながら、球導入路の下端開口部に向けて移動する。
【００１３】
従って、上述の受承遊技球のように、糸付き遊技球の遊技球が、糸を付随させながら、傾動部材の球受け部により球送り口部から球発射装置へ送られる。
【００１４】
このような段階にて、糸付き遊技球の遊技球が発射方向に発射されると、糸が、その遊技球に付随して、当該発射遊技球により、球発射装置側へ球送り口部から引っ張り出されて、当該発射遊技球とともにその発射方向に移動することとなる。
【００１５】
ここで、球送り口部が、球導入口部に対し、遊技球の発射方向とは逆方向側にずれて位置するように球発射装置側対向壁に形成されている。このことは、球導入口部の上記発射方向とは逆方向側の内縁部が、球送り口部の上記発射方向側の内縁部よりも発射方向斜め上側に位置ずれして位置することを意味する。
【００１６】
さらに、遊技球の発射方向は、球発射装置側対向壁に沿うことから、当該発射方向と、球導入口部の上記発射方向とは逆方向側の内縁部及び球送り口部の上記発射方向側の内縁部を結ぶ直線の方向との間に張る角度は、小さな鋭角となる。
【００１７】
このため、糸付き遊技球の糸が、上述のように、発射遊技球と共に上記発射方向に移動する過程おいては、当該糸は、球導入口部と球送り口部との間にて球導入口部の上記発射方向とは逆方向側の内縁部から球送り口部の上記発射方向側の内縁部に向けて引っ張られた状態にて、上記小さな鋭角でもって、球発射装置側対向壁の面に沿い発射遊技球の発射方向へ移動することなる。
【００１８】
ここで、上述のように球導入口部の上記発射方向とは逆方向側の内縁部が、球送り口部の上記発射方向側の内縁部よりも上記発射方向側に位置ずれして位置するとともに、糸付き遊技球の発射方向と球導入口部の上記発射方向とは逆方向側の内縁部及び球送り口部の上記発射方向側の内縁部を結ぶ直線との間に張る角度が小さな鋭角であることから、糸は、上記小さな鋭角のもとに、糸付き遊技球の発射方向に沿う移動速度に応じた引っ張り力を受ける。
【００１９】
このため、糸は、上記小さな鋭角のもとに、上記引っ張り力に応じて球導入口部の上記発射方向とは逆方向側の内縁部と球送り口部の上記発射方向側の内縁部との間に生ずる各接触摩擦力の作用を受けて、球導入口部の上記発射方向とは逆方向側の内縁部及び球送り口部の上記発射方向側の内縁部と摩擦接触しながら移動することを余儀なくされる。
【００２０】
従って、糸は、球送り口部から糸付き遊技球の発射方向には円滑には引っ張り出され得ず、当該糸付き遊技球が、遊技盤の遊技領域内に転動していくことがない。
【００２１】
その結果、糸付き遊技球を用いた遊技盤の盤面上における遊技者による不正行為が未然に防止され得る。
【００２２】
また、本発明は、請求項２の記載によれば、請求項１に記載の球送り装置において、
上記球送り口部は、その内周縁部のうちその上側部位の中間部位から上記発射方向側部位の中間部位にかけて傾斜部位を傾斜状に形成してなることを特徴とする。
【００２３】
これによれば、上述のように糸付き遊技球がケーシングの球送り口部から送り出されて槌部により打たれると、当該糸付き遊技球は、発射方向に沿い移動しようとする。
【００２４】
このとき、糸が、球送り口部から引っ張り出される過程にて、球送り口部の内周縁部のうちの傾斜部位に沿い下方へ移動して、上記発射方向側部位の下部と摩擦接触する。これよっても、請求項１に記載の発明の作用効果が達成され得る。
【００２５】
また、本発明は、請求項３の記載によれば、請求項２に記載の球送り装置において、
球送り口部は、上記発射方向側部位のうちの上記傾斜部位の下側部位と上記傾斜部位との境界を角形状とするように、上記発射方向側部位の上記下側部位から上記傾斜部位にかけて折れ曲がっていることを特徴とする。
【００２６】
これによれば、上述のように、糸が、球送り口部の内周縁部のうちの傾斜部位に沿い下方へ向けて移動した後、上記発射方向側部位のうちの上記傾斜部位の下側部位と上記傾斜部位との境界に達すると、当該境界が角形状であることから、糸は、当該境界と強固に摩擦接触することとなる。このため、糸は、球送り口部から円滑には引っ張り出され得ず、遊技球が、遊技盤の遊技領域内に転動していくことがない。
【００２７】
また、本発明に係る遊技機は、請求項４の記載によれば、球受け皿と、遊技球をその発射方向へ発射可能な球発射装置と、球受け皿と球発射装置との間に介装してなる球送り装置とを備える。
【００２８】
当該遊技機において、
球送り装置は、請求項１〜３のいずれか１つに記載の球送り装置であり、
球発射装置は、一回転方向に回転する電気的回転手段と、  槌部を有する球打撃手段と、  回動アームとを備えて、
球打撃手段は、
電気的回転手段が第１回転角位置にあるとき上記槌部を遊技球に対する打撃位置に維持し、
電気的回転手段が上記第１回転角位置から第２回転角位置へ上記一回転方向に回転するにつれて、上記槌部を上記打撃位置から後退位置へ後退させ、
電気的回転手段が上記第２回転角位置に達したとき、上記槌部を上記後退位置から上記打撃位置へ復帰させるようになっており、
回動アームは、
上記槌部の上記打撃位置から上記後退位置への後退に伴い傾動部材を錘の自重に抗して傾動させるように回動し、
また、上記槌部の上記後退位置から上記打撃位置への復帰に伴い錘の自重のもとに受承遊技球を球発射装置側対向壁の上記球送り口部から上記球発射装置側へ送るように傾動部材を傾動させるべく回動し、
球打撃手段は、上記槌部により、上記後退位置から上記打撃位置への復帰に伴い、傾動部材の上記球受け部により上記球発射装置側対向壁の上記球送り口部から送られる遊技球を上記球発射装置側対向壁に沿い発射するようにしたことを特徴とする。
【００２９】
これによれば、請求項１〜３のいずれか１つに記載の球送り装置に基づく作用効果を達成し得る遊技機の提供が可能となる。
【発明の効果】
【００３０】
本発明によれば、球送り口部が、球導入口部よりも球発射方向とは反対側にずれて位置するので、糸付き遊技球が球導入口部を通し球送り口部から糸を付随させながら球発射装置側に送られて発射されても、糸は、球導入口部の発射方向とは逆方向側の内縁部及び球送り口部の発射方向側内縁部との間で摩擦接触することで、球送り口部から円滑には引っ張り出され得ず、遊技球が、遊技盤の遊技領域内に転動していくことがない。その結果、糸付き遊技球を用いた遊技盤の盤面上における遊技者による不正行為が未然に防止され得る。
【００３１】
なお、上記各手段の括弧内の符号は、後述する実施形態に記載の具体的手段との対応関係を示す。
【図面の簡単な説明】
【００３２】
【図１】本発明を適用したパチンコ遊技機の第１実施形態を示す部分破断斜視図である。
【図２】上記パチンコ遊技機の部分破断斜視図である。
【図３】図２の球送り装置及び球発射装置を後方からみた斜視図である。
【図４】図２の球送り装置及び球発射装置を前方からみた拡大正面図である。
【図５】図２の球送り装置及び球発射装置を後方からみた拡大斜視図である。
【図６】図２の球送り装置及び球発射装置の後面図である。
【図７】図２の球送り装置及び球発射装置の分解斜視図である。
【図８】（ａ）及び（ｂ）は、それぞれ、図２の球送り装置及び球発射装置の詳細分解斜視図である。
【図９】図２の球送り装置の送り装置本体の斜視図である。
【図１０】図２の球送り装置及び球発射装置の平面図である。
【図１１】上記第１実施形態における球送り装置本体及び球発射装置の正面図である。
【図１２】上記第１実施形態における球送り装置本体及び球発射装置の後方からみた斜視図である。
【図１３】上記第１実施形態における球送り装置本体及び球発射装置の作動を説明するための正面図である。
【図１４】上記第１実施形態における球送り装置本体及び球発射装置の作動を説明するための正面図である。
【図１５】上記第１実施形態における球送り装置本体及び球発射装置の作動を説明するための正面図である。
【図１６】上記第１実施形態における球送り装置本体及び球発射装置の作動を説明するための正面図である。
【図１７】上記第１実施形態における球送り装置本体の遊技球の送り出し作動を説明するための正面図である。
【図１８】上記第１実施形態における球送り装置本体及び球発射装置の作動を説明するための正面図である。
【図１９】上記第１実施形態における球送り装置本体の遊技球の送り出し作動を説明するための正面図である。
【図２０】上記第１実施形態における球受け皿から球送り装置本体を通り発射レール側に送られる遊技球の送り出し経路を説明するための球受け皿、球送り装置本体及び発射装置の模式的平面図である。
【図２１】図２０において糸付き遊技球が球受け皿から球送り装置本体を通り発射レール側に送られる過程を説明するための部分斜視図である。
【図２２】本発明の第２実施形態の要部を示す斜視図である。
【発明を実施するための形態】
【００３３】
以下、本発明の各実施形態を図面により説明する。
（第１実施形態）
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠Ｆと、この機枠Ｆに対し前後方向に開閉可能に支持される遊技機本体Ｂ及び前扉Ｄとにより構成されている。
【００３４】
なお、図１において、図示斜め左下方向及び斜め右上方向が、それぞれ、当該パチンコ遊技機の左方向及び右方向に対応し、図示斜め左上方向及び斜め右下方向が、それぞれ、当該パチンコ遊技機の後方向及び前方向に対応し、また、図示上下方向が、当該パチンコ遊技機の上下方向に対応する。
【００３５】
前扉Ｄは、図１にて示すごとく、前枠１０と、窓ガラス２０と、球受け皿３０とを備えており、前枠１０は、その左縁部にて、遊技機本体Ｂの左縁部を介し、機枠Ｆの左縁部に前後方向に回動可能に支持されている。
【００３６】
球受け皿３０は、前枠１０の下部から前方へ突出するように形成されており、この球受け皿３０には、凹状貯留部３１が、上方に向けて開口するように設けられている。
【００３７】
しかして、この球受け皿３０は、遊技機本体Ｂの本体枠４０（後述する）の上部内に設けた球タンク（図示しない）から、遊技球を、本体枠４０内の球通路（図示しない）を通して順次供給されて、凹状貯留部３１内に貯留する。
【００３８】
また、当該球受け皿３０は、図１にて示すごとく、球整列部３２を有しており、この球整列部３２は、球受け皿３０の凹状貯留部３１の下流部位である底壁右側部位に左右方向に長手凹状に形成されている。ここで、当該球整列部３２は、図２０にて示すごとく、その右側壁部に形成した開口部にて、連通路３３を介し、後述するコ字状凹所６０（図５或いは図６参照）の底壁６１（図８或いは図２０参照）の球導入口部６１ａ（後述する）を介し、後述する球導入路７３（図４或いは図９参照）内に開口している。
【００３９】
これにより、球受け皿３０内に供給される各遊技球は、球整列部３２にて整列した上で、連通路３３を通り球導入路７３内に球導入口部６１ａから順次導入される。
【００４０】
遊技機本体Ｂは、図１にて示すごとく、本体枠４０と、遊技盤５０とを備えており、本体枠４０は、その左縁部にて、機枠Ｆの左縁部に前後方向に回動可能に支持されている。
【００４１】
遊技盤５０は、本体枠４０に嵌装されており、この遊技盤５０には、ガイドレール５１その他の各種の盤面部品が設けられている。
【００４２】
ここで、ガイドレール５１は、内側レール部５１ａ及び外側レール部５１ｂを有しており、これら内側レール部５１ａ及び外側レール部５１ｂは、遊技盤５０の盤面５２の外周部に沿い組み付けられている。なお、内側レール部５１ａは、外側レール部５１ｂの内周側に位置している。
【００４３】
当該パチンコ遊技機は、自１或いは図２にて示すごとく、操作ハンドルＨ、球送り装置Ｇ及び球発射装置Ｊを備えている。操作ハンドルＨは、図１にて示すごとく、遊技機本体Ｂの本体枠４０の右下側隅角部にその前面側から回動操作可能に支持されている。
【００４４】
球送り装置Ｇは、前枠１０の下部にその後面側から組み付けられている（図２参照）。当該球送り装置Ｇは、図２〜図８にいずれかにて示すごとく、長手状基板Ｇａと、送り装置本体Ｇｂとにより構成されており、長手状基板Ｇａは、前枠１０の下部にその後面側から左右方向に延在するように組み付けられている。なお、当該長手状基板Ｇａは、その上縁部にて、球受け皿３０の上縁部に対応するように、前枠１０の下部に組み付けられている。
【００４５】
送り装置本体Ｇｂは、図５〜図７のいずれかにて示すごとく、長手状基板Ｇａのコ字状凹所６０（図５或いは図８参照）内に組み付けられており、当該送り装置本体Ｇｂは、ケーシング部材７０と、傾動機構８０とを備えている。なお、コ字状凹所６０は、長手状基板Ｇａの右側下部にその裏面側から凹状に形成されている。
【００４６】
ケーシング部材７０は、図５〜図９のいずれかにて示すごとく、Ｌ字状後壁７１と、コ字状壁７２とを備えており、コ字状壁７２は、後壁７１の上縁部及び左右両縁部から前方へコ字状に延出されている。当該コ字状壁７２は、その延出端部でもって、コ字状凹所６０内にてその底壁６１（コ字状凹所６０の前側壁に相当）に当接している。なお、ケーシング部材７０のうちコ字状壁７２の下方部位は、左右両側及び下側へ開放されている。
【００４７】
また、ケーシング部材７０は、図４或いは図７から分かるように、球導入路７３を有しており、この球導入路７３は、後壁７１の前面（内面）に沿いその左上側隅角部から左右方向下側中央部に向けて延在するように形成されている（図９参照）。
【００４８】
また、ケーシング部材７０は、図９にて示すごとく、各突出壁部７３ａ、７３ｂ、７３ｃ、７３ｄを有しており、当該各突出壁部７３ａ、７３ｂ、７３ｃ、７３ｄのうち、両突出壁部７３ａ、７３ｂは、上下に位置して、後壁７１の左上側隅角部からその前方に向けて共に平行に突出されている。本第１実施形態では、これら両突出壁部７３ａ、７３ｂは、それぞれ、その左端部から右端部にかけて下方に向け緩やかに傾斜している。
【００４９】
突出壁部７３ｃは、突出壁部７３ａよりも右上側に位置して、後壁７１から前方に向けて突出されており、この突出壁部７３ｃは、その左端部から右端部にかけて下方に向け緩やかに傾斜している（図１１参照）。また、突出壁部７３ｄは、各突出壁部７３ａ、７３ｂ、７３ｃの下側に位置して、突出壁部７３ｃに平行となるように、後壁７１から前方に向けて突出されている。
【００５０】
これにより、球導入路７３は、両突出壁部７３ａ、７３ｂの各突出端部、コ字状壁７２の左壁部及び球導入口部６１ａの間の空間部から両突出壁部７３ｃ、７３ｄ、コ字状凹所６０の底壁６１のうち両突出壁部７３ｃ、７３ｄの間の部位及びケーシング部材７０の後壁７１のうち両突出壁部７３ｃ、７３ｄの間の部位の間の空間部にかけて筒状に形成されている。なお、突出壁部７３ｄは、球導入路７３の底壁部としての役割を果たす。
【００５１】
ここで、球導入口部６１ａは、コ字状凹所６０の底壁６１の左上側隅角部に形成されて、球導入路７３の左側上端開口部を球受け皿３０の球整列部３２に球導入口部６１ａ及び連通路３３を介し連通させている。これにより、球受け皿３０内の遊技球は、球整列部３２、連通路３３及び球導入口部６１ａを通り球導入路７３内にその左側上端開口部から導入可能となっている。
【００５２】
しかして、球導入路７３は、球受け皿３０の球整列部３２から球導入口部６１ａを通り導入する遊技球を、底壁部である下側突出壁部７３ｄに沿い右下方に向けて案内する役割を果たす。本第１実施形態では、球導入路７３の遊技球の導入方向長さは、遊技球を当該突出壁部７３ｃ上にてその左右方向に沿い２個一列に整列させるに要する長さ（遊技球の外径の２倍の長さ）に設定されている。
【００５３】
ここで、コ字状凹所６０の底壁６１のうち球導入口部６１ａの下側に位置する壁部（下側壁部）の高さは、底壁６１のうち球導入口部６１ａの右側壁部の高さよりも低く、例えば、当該右側壁部の半分の高さになっている。
【００５４】
このため、２個の遊技球が球導入路７３内にてその底壁上に一列に並んだとき、当該２個の遊技球のうちの球導入口部６１ａ側に位置する遊技球は、その上部にて、当該球導入口部６１ａ内に対向する。従って、球導入路７３の受け皿３０側の壁であるコ字状凹所６０の底壁６１は、球導入口部６１ａの下側壁部及び球導入口部６１ａの右側壁部の双方でもって構成されることなるが、当該底壁６１は、コ字状ケーシング部材７０の後壁７１とともに、球導入路７３の前後両壁を構成することに変わりはない。
【００５５】
本第１実施形態では、底壁６１が、コ字状凹所６０の構成部材であり、一方、後壁７１は、コ字状凹所６０とは別体であるコ字状ケーシング部材７０の構成部材であるが、これに限ることなく、底壁６１を、コ字状凹所６０の構成部材ではなく、コ字状ケーシング部材７０の構成部材として形成してもよい。なお、突出壁部７３ｃは、球導入路７３の壁部を構成していなくてもよい。
【００５６】
傾動機構８０は、図８にて示すごとく、傾動部材８０ａと、錘８０ｂとを備えている。傾動部材８０ａは、図８或いは図９にて例示するごとく、傾動片８１と、Ｓ字状湾曲片８２とを有しており、傾動片８１は、図８（ａ）にて示すごとく、筒部８１ａにて、ピン８３により、ケーシング部材７０の後壁７１の右下隅角部７１ａとコ字状凹所６０の底壁６１のうち右下隅角部７１ａに対する対向部位との間に回動自在に支持されている。
【００５７】
ここで、筒部８１ａは、傾動片８１の傾動中心部から前方へ筒状に延出されている。ピン８３は、筒部８１ａに挿通されており、当該ピン８３は、その後端部にて、右下隅角部７１ａに形成した支持孔部７１ｂ（図８（ａ）参照）に支持されている。また、当該ピン８３の前端部は、底壁６１のうち右下隅角部７１ａに対する対向部位に抜け止め用ストップリング８３ａを介し支持されている。
【００５８】
これにより、傾動片８１は、図８（ａ）にて示すごとく、筒部８１ａを中心として、ピン８３の軸周りに図示時計方向（遊技盤５０の前側から見て反時計方向）或いは図示反時計方向（遊技盤５０の前側から見て時計方向）に傾動可能となっている。本第１実施形態では、後壁７１において、その右下隅角部７１ａは、次のように形成されている。後壁７１は、下側部位と、この下側部位の上部から右方へ延出する上側部位とでもって、図８（ａ）にて示すごとく、Ｌ字状に形成されていることから、右下隅角部７１ａは、後壁７１の下側部位の右端部でもって形成されている。
【００５９】
Ｓ字状湾曲片８２は、図８（ａ）にて示すごとく、傾動片８１のＳ字状上側外縁部８１ｂから前方へ折れ曲がって延出されており、当該湾曲片８２は、上側湾曲部８２ａと、下側湾曲部８２ｂ（球受け部８２ｂ）とにより、縦断面Ｓ字状となるように一体的に形成されている。
【００６０】
ここで、Ｓ字状上側外縁部８１ｂは、傾動片８１の筒部８１ａの後端開口部を中心とし斜め左側上方に向けて凸な湾曲形状を有する上側外縁部位と、この上側外縁部位の左端部位から斜め右側下方に向けて凸な湾曲形状を有する下側外縁部位とにより、縦断面Ｓ字状となるように一体的に形成されている。
【００６１】
しかして、Ｓ字状湾曲片８２において、上側湾曲部８２ａは、傾動片８１の上記上側外縁部位からこれと同様の湾曲形状にて前方に向けて延出され、下側湾曲部８２ｂは、傾動片８１の上記下側外縁部位からこれと同様の湾曲形状にて前方に向けて延出されている。
【００６２】
従って、上側湾曲部８２ａは、傾動片８１の筒部８１ａの後端開口部を中心とし斜め左側上方に向けて凸な湾曲形状に形成され、一方、下側湾曲部８２ｂは、斜め右側下方に向けて凸な湾曲形状に形成されている。なお、下側湾曲部８２ｂの上面（受承面）は、下に向けて凹な湾曲面であってその前縁部から後方に向けて緩やかに下方へ傾斜する湾曲面として形成されて、後述のように受承する遊技球を球送り口部７１ｃ内に円滑に送り込む役割を果たす。
【００６３】
本第１実施形態では、下側湾曲部８２ｂは、その受承面にて、球導入路７３からの遊技球を受承して、この受承遊技球を、後述のごとく、ケーシング部材７０の後壁７１に形成した球送り口部７１ｃ（図８（ａ）参照）を通して球発射装置Ｊに送る役割を果たす。
【００６４】
ここで、球送り口部７１ｃは、球導入路７３の下端開口部の近傍にて、後壁７１の左右方向下側中間部位に開口形成されている。このことは、球送り口部７１ｃが、コ字状凹所６０における底壁６１の球導入口部６１ａよりも右側斜め下方に位置ずれして位置することを意味する。
【００６５】
換言すれば、球送り口部７１ｃが、その左側内縁部にて、球導入口部６１ａの右側内縁部よりも右側斜め下方に位置することで、球導入口部６１ａの右側内縁部と球送り口部７１ｃの左側内縁部とを結ぶ直線と、当該球送り口部７１ｃの左側内縁部からの球発射方向（後壁７１の面に沿う右側から左斜め上側への方向）とでなす角度は鋭角となっている。なお、上側湾曲部８２ａは、上述のように湾曲せず、例えば、平板部であってもよい。
【００６６】
また、球送り口部７１ｃは、その内周縁部のうちその上側部位の中間部位から当該内周縁部のうち発射方向側部位の中間部位にかけて傾斜部位を傾斜状に形成してなる（図１１、図１７或いは図２１参照）。これにより、球送り口部７１ｃの内周縁部のうち発射方向側部位は、上記傾斜部位及び内縁部ｅ（図２１参照）でもって、構成される。
【００６７】
錘８０ｂは、図８（ａ）或いは図９にて示すごとく、円柱台状の金属（例えば、黄銅）により形成されており、この錘８０ｂは、ピン８４により、傾動片８１の右側支持腕部８１ｃの先端部と、コ字状凹所６０の底壁６１のうち右側支持腕部８１ｃの先端部に対する対向部位との間に回動自在に支持されている。
【００６８】
ここで、右側支持腕部８１ｃは、傾動片８１の筒部８１ａの後端開口部から後壁７１の上側部位のうち下側部位からの延出部の下側へ延出している。また、ピン８４は、その後端部にて、傾動片８１の右側支持腕部８１ｃの先端部に支持されており、当該ピン８４の前端部は、底壁６１のうち右側支持腕部８１ｃの先端部に対する対向部位に抜け止め用ストップリング８４ａを介し支持されている。
【００６９】
しかして、このように構成した錘８０ｂはその自重により下動端に位置するとき、当該錘８０ｂは、傾動片８１を、筒部８１ａを中心とした図８（ａ）にて図示反時計方向傾動端位置（遊技盤５０の前側から見て時計方向傾動端位置）に維持する。
【００７０】
このとき、傾動片８１の右側支持腕部８１ｃは、錘８０ｂにより図８（ａ）にて図示反時計方向傾動端位置（遊技盤５０の前側から見て時計方向傾動端位置）に維持されており、傾動片８１のＳ字状湾曲片８２は、その下側湾曲部８２ｂにて、球導入路７３の下端開口部（突出壁部７３ｄの右端部に対応する）の上下方向中間部位に対向して位置し、球導入路７３内の遊技球を当該球導入路７３の下端開口部内に滞留させる役割を果たす。
【００７１】
また、錘８０ｂがその自重に抗して後述のごとく上方へ押し上げられると、傾動片８１は、筒部８１ａを中心として、図８（ａ）にて図示時計方向（遊技盤５０の前側から見て反時計方向）に傾動する。これに伴い、傾動片８１の右側支持腕部８１ｃは、ピン８２を介し、錘８０ｂにより、図８（ａ）にて図示時計方向に押し上げられるとともに、傾動片８１のＳ字状湾曲片８２は、筒部８１ａを中心として、図８（ａ）にて図示時計方向に傾動して、その下側湾曲部８２ｂを、球導入路７３の下端開口部の上記上下方向中間部位から下方へ移動させる。
【００７２】
これに伴い、下側湾曲部８２ｂは、その左端部にて、球導入路７３の下端開口部の下縁部位に対向して、球導入路７３内の遊技球を下方から受承する球受け部としての役割を果たす。このとき、２個の遊技球が球導入路７３内にて突出壁部７３ｄ上に一列に整列して存在することから、下側湾曲部８２ｂにより受承された遊技球と共に３個の遊技球がその各自重のもとに球導入路７３から下側湾曲部８２ｂにかけて一列に左上側から右下側に向け傾斜状に整列して位置する。
【００７３】
然る後、再び、錘８０ｂがその自重により後述のごとく下動すると、傾動片８１は、筒部８１ａを中心として、図８（ａ）にて図示反時計方向（遊技盤５０の前側から見て時計方向）へ傾動する。これに伴い、傾動片８１の右側支持腕部８１ｃは、錘８０ｂにより図８（ａ）にて図示反時計方向傾動端位置（遊技盤５０の前側から見て時計方向傾動端位置）に向けて傾動され、傾動片８１のＳ字状湾曲片８２は、その下側湾曲部８２ｂにて、球導入路７３の下端開口部の上下方向中間部位に向けて上方へ移動しながら、受承遊技球を、ケーシング部材７０の球送り口部７１ｃを通して球発射装置Ｊに送る。
【００７４】
これに伴い、傾動片８１の右側支持腕部８１ｃは、図８（ａ）にて図示反時計方向傾動端位置に達し、Ｓ字状湾曲片８２は、その下側湾曲部８２ｂにて、球導入路７３の下端開口部の上下方向中間部位に達して、球導入路７３内の遊技球を当該球導入路７３の下端開口部内に滞留させる。なお、錘８０ｂは、傾動片８１の右側支持腕部８１ｃに代えて、傾動片８１のうち上側湾曲部８２ａ側の部位に、回動自在に支持するようにして、右側支持腕部８１ｃを廃止してもよい。
【００７５】
球発射装置Ｊは、遊技盤５０のうち長手状基板Ｇａの右側部の直下に対する対応部位に形成した嵌装穴部（図示しない）内に、その前面側から組み付けられており、当該球発射装置Ｊは、図７にて示すごとく、発射機構Ｊａと、駆動機構Ｊｂとにより構成されている。
【００７６】
発射機構Ｊａは、図２〜図６のいずれかにて示すごとく、遊技盤５０のうち長手状基板Ｇａの右側部の直下に対する対応部位に位置しており、この発射機構Ｊａは、機構本体９０ａと、発射レール９０ｂ（図２０参照）とを備えている。
【００７７】
機構本体９０ａは、支持基板部材９１を有している。この支持基板部材９１は、基板９１ａと、環状壁９１ｂと、Ｌ字状左側壁９１ｃと、右側壁９１ｄとを有しており、環状壁９１ｂは、基板９１ａの外周部からその前側へ突出している。Ｌ字状左側壁９１ｃは、基板９１ａの左縁部及び左側上縁部から後方へＬ字状に突出している。また、右側壁９１ｄは、基板９１ａの右縁下方部から後方へ略平板状に突出している。
【００７８】
しかして、支持基板部材９１は、その環状壁９１ｂ及び基板９１ａを遊技盤５０の盤面５２から前方へ突出させるようにして、Ｌ字状左側壁９１ｃ及び右側壁９１ｄにて遊技盤５０の上記嵌装穴部にその前側から支持されている。
【００７９】
また、機構本体９０ａは、図７にて例示するごとく、Ｔ字状回動板９２と、槌部材９３と、コイルスプリング９４と、回動アーム９５（図８（ａ）参照）とを備えており、Ｔ字状回動板９２は、長手状頭部９２ａと、長手状頭部９２ａの長手方向中央部から延出する胴部９２ｂとでもって、Ｔ字状に構成されている。しかして、このＴ字状回動板９２は、長手状頭部９２ａの長手方向一側端部にて、基板９１ａの左右方向下側中間部位に支持軸９２ｃにより回動可能に支持されている。
【００８０】
本第１実施形態では、支持軸９２ｃは、図８（ａ）にて示すごとく、大径部と、この大径部から同軸的に延出する小径部とにより構成されており、当該支持軸９２ｃは、その大径部にて、基板９１ａの上記左右方向下側中間部位から後方へ延出されて、上記小径部にて、Ｔ字状回動板９２を回動可能に支持している。
【００８１】
槌部材９３は、長手状基部９３ａと、この基部９３ａの長手方向一端部からＬ字状に延出する腕部９３ｂと、この腕部９３ｂの延出端部から長手状基部９３ａに対向するように延出する槌部９３ｃとでもって、コ字状に構成されており、当該槌部材９３は、長手状基部９３ａと腕部９３ｂとの境界部位にて、支持軸９２ｃの小径部に支持されている。これにより、槌部材９３は、基部９３ａ及び槌部９３ｃを、支持基板部材９１の基板９１ａに沿い、腕部９３ｂの両端部から左側へ延出させるように、支持軸９２ｃに支持されている。
【００８２】
ここで、槌部材９３の上記境界部位は、Ｔ字状回動板９２の頭部９２ａよりも前側にて支持軸９２ｃの小径部に支持されている。なお、槌部材９３の上記境界部位及びＴ字状回動板９２の頭部９２ａの上記長手方向一側端部は、支持軸９２ｃの小径部にその先端側からナット９２ｄを締着することで、支持軸９２ｃの大径部とナット９２ｄとの間に挟持されて、相対回動不能となっている。
【００８３】
これにより、槌部材９３は、Ｔ字状回動板９２と一体となって、支持軸９２ｃの軸周りに沿い、打撃回動位置から後退回動位置に向けて図７にて図示反時計方向（遊技盤５０の前側から見て時計方向）に回動し或いは後退回動位置から打撃回動位置に向けて図７にて図示時計方向（遊技盤５０の前側から見て反時計方向）に回動する。なお、打撃回動位置は、後述のごとく遊技球を打つ位置に相当し、また、後退回動位置は、打撃回動位置から右側へ槌部材９３を後退させた位置に相当する。
【００８４】
コイルスプリング９４は、その一端部９４ａにて、ローラ９２ｅ（図８（ａ）参照）を介し、Ｔ字状回動板９２の胴部９２ｂの長手方向中間部位から後方へ突出するピン９２ｆに係止しており、当該コイルスプリング９４の他端部９４ｂは、突起９４ｃ（後述する）の先端部に係止している。ここで、突起９４ｃは、Ｔ字状回動板９２の胴部９２ｂの左側にて、支持基板部材９１の基板９１ａの左側上下方向中間部位から後方へ延出されている（図７参照）。
【００８５】
このように係止したコイルスプリング９４によれば、回動板９２は、その胴部９２ｂにてコイルスプリング９４によりその弾力でもって左方へ引っ張られて図７にて図示時計方向（遊技盤５０の前側から見て反時計方向）に回動し槌部材９２を図７にて図示時計方向回動端（遊技盤５０の前側から見て反時計方向回動端）に維持する。
【００８６】
これにより、槌部材９３は、長手状基部９３ａの下面にて、後述する突起９３ｄ（図７或いは図８（ａ）参照）にその右上側から係止するとともに、腕部９３ｂの上部にて、基板９１ａの左右方向上縁中間部位から後方へ突出する突起９１ｅ（図８（ａ）参照）にその右側から係止することで、コイルスプリング９４の引っ張り力のもとに、上記図示時計方向回動端（遊技盤５０の前側から見て反時計方向回動端）に維持される。
【００８７】
本第１実施形態では、槌部材９２の図７にて図示時計方向回動端が、発射レール９０ｂの基端部（後述する）上で遊技球を打つ球打撃回動位置に相当する。なお、突起９３ｄは、コイルスプリング９４の長手方向中間部位の下側にて、基板９１ａから後方に突出されている（図７参照）。
【００８８】
回動アーム９５は、図８（ａ）にて示すごとく、筒状基部９５ａと、押動片部９５ｂと、Ｊ字状湾曲部９５ｃとにより構成されており、当該回動アーム９５は、筒状基部９５ａにて、ピン９６を介し、前後両側突出支持部９１ｆ（後述する）に回動自在に支持されている。
【００８９】
ここで、前後両側突出支持部９１ｆは、支持基板部材９１の突起９１ｅ及び環状壁９１ｂのうち突起９１ｅに対応する左右方向上縁中間部位からそれぞれ上方へ突出するように形成されている。また、ピン９６は、その前後両端部にて、前後両側突出支持部９１ｆの各貫通孔部に挿通されており、回動アーム９５は、筒状基部９５ａにて、前後両側突出支持部９１ｆの間にてピン９６にその軸周りに回動自在に嵌装されている。
【００９０】
また、回動アーム９５において、押動片部９５ｂは、図８（ａ）にて示すごとく、筒状基部９５ａの外周部からその径方向に延出してなるもので、当該押動片部９５ｂは、傾動機構８０の錘８０ｂの直下に位置している。
【００９１】
当該押動片部９５ｂは、平面状基部ａと、平面状傾斜部ｂとを有しており、平面状基部ａは、筒状基部９５ａの外周部から当該筒状基部９５ａの軸を含む面内にてその径方向に延出している。平面状傾斜部ｂは、平面状基部ａの延出端部の前側部位から右側下方に向け傾斜状に延出している。
【００９２】
また、Ｊ字状湾曲部９５ｃは、右方へ凸なＪ字湾曲形状にて、平面状基部ａの延出端部の後側部位から右方乃至下方に向けて延出されており、当該Ｊ字状湾曲部９５ｃは、筒状基部９５ａを基準に、支持基板部材９１の基板９１ａの後面に沿い図８（ａ）にて図示時計方向（遊技盤５０の前側から見て反時計方向）或いは反時計方向（遊技盤５０の前側から見て時計方向）に回動するようになっている。
【００９３】
ここで、Ｊ字状湾曲部９５ｃは、その自重のもとに、図８（ａ）にて図示反時計方向へ回動したとき、当該Ｊ字状湾曲部９５ｃは、その先端部にて、ローラ９２ｉにその右側斜め上方から係止するようになっている。なお、当該ローラ９２ｉは、回動板９２の頭部９２ａの先端部からその後方へ突出するピンに回動可能にかつ同軸的に支持されている。
【００９４】
しかして、このように構成した回動アーム９５は、回動板９２及び槌部材９３の図８（ａ）にて図示反時計方向（遊技盤５０の前側から見て時計方向）への回動に伴い、Ｊ字状湾曲部９５ｃの先端部にて、ローラ９２ｉにより右斜め上方に向けて押し上げられて図８（ａ）にて図示時計方向（遊技盤５０の前側から見て反時計方向）に回動しつつ、押動片部９５ｂによりその平面状基部ａ或いは平面状傾斜部ｂでもって錘８０ｂを押し上げる。
【００９５】
また、回動アーム９５は、回動板９２及び槌部材９３の図８（ａ）にて図示時計方向への回動に伴うローラ９２ｉの左斜め下方への移動に応じて、その自重のもと、図８（ａ）にて反時計方向に回動して押動片部９５ｂを下方へ移動させて、錘８０ｂを、その自重のもとに、押動片部９５ｂに追随して下方へ移動させる。
【００９６】
発射レール９０ｂは、その長手方向基端部にて、球打撃回動位置にある槌部材９３の槌部９３ｃの左側に位置しており、当該発射レール９０ｂは、その長手方向基端部から遊技盤５０の盤面５２に沿い内側レール部５１ａ及び外側レール部５１ｂの各下端部位の間に向けて傾斜状に延出するように、遊技盤５０の盤面５２に支持されている（図２０参照）。なお、当該発射レール９０ｂは、遊技盤５０の盤面５２から前方へ板状に延出している。
【００９７】
しかして、当該発射レール９０ｂは、その基端部上に送り出される遊技球を、後退回動位置から球打撃回動位置への槌部材９３によりその槌部９３ｃにて打撃されて、内側レール部５１ａ及び外側レール部５１ｂの各下端部位の間に向けて発射する。
【００９８】
駆動機構Ｊｂは、図８或いは図１０にて示すごとく、モータ支持壁部材１００と、ステップモータ１１０と、一方向回転部材１２０とを備えている。モータ支持壁部材１００は、支持壁１０１と、環状フランジ１０２とを有している。環状フランジ１０２は、支持壁１０１の外周部から前方へ延出されており、当該環状フランジ１０２は、支持基板部材９１のＬ字状左側壁９１ｃの上縁部の右端部位及び右側壁９１ｄにその後方から複数のネジの締着により組み付けられて、支持壁１０１を、基板９１ａに並行に維持している。
【００９９】
ステップモータ１１０は、出力軸１１１を、支持壁１０１の中央穴部を通して前方へ回動自在に突出させるようにして、支持壁１０１に支持されている。なお、縦断面Ｕ字状のカバー（図示しない）が、その開口部にて、支持壁１０１の外周部に組み付けられてステップモータ１１０を収容している。
【０１００】
一方向回転部材１２０は、鋸歯円板１２１と、湾曲板状カム１２２と、腕状係止片１２３とを備えている。鋸歯円板１２１は、その中央穴部にて、支持壁１０１の前側からステップモータ１１０の出力軸１１１に同軸的に支持されており、当該鋸歯円板１２１の外周部には、一連の鋸歯部１２１ａが形成されている。ここで、一連の鋸歯部１２１ａは、共に、鋸歯円板１２１の外周部からステップモータ１１０の一回転方向に楔状に突出するように形成されている。
【０１０１】
これにより、鋸歯円板１２１は、腕状係止片１２３との後述する協働に基づきステップモータ１１０の上記一回転方向にのみ回転可能となっている。
【０１０２】
湾曲板状カム１２２は、その回動中心穴部１２２ａにて、鋸歯円板１２１にその前側から接合するように、当該鋸歯円板１２１と共に、ステップモータ１１０の出力軸１１１に同軸的に支持されている。
【０１０３】
当該湾曲板状カム１２２は、湾曲状カム面１２２ｂ及び湾曲状案内面１２２ｃを有しており、湾曲状カム面１２２ｂは、Ｔ字状回動板９２の頭部９２ａの軸９２ｇに回転可能に支持してなるローラ９２ｈと摺接可能な湾曲形状に形成されている（図８、図１１、図１３〜図１６等参照）。
【０１０４】
具体的には、軸９２ｇは、回動板９２の頭部９２ａの他端部から後方へ延出されており、この軸９２ｇの延出端部には、ローラ９２ｈが回動可能にかつ同軸的に支持されている。
【０１０５】
これにより、板状カム１２２は、湾曲状カム面１２２ｂにて、ローラ９２ｈとの摺接のもとに、Ｔ字状回動板９２及び支持軸９２ｃを介し、ステップモータ１１０の上記一方向回転に伴い、槌部材９３をその球打撃回動位置からコイルスプリング９４に抗して後退回動位置まで回動させるように構成されている。
【０１０６】
換言すれば、湾曲状カム面１２２ｂは、ステップモータ１１０の上記一方向回転に伴い、槌部材９３をその球打撃回動位置からコイルスプリング９４に抗して後退回動位置まで回動させるように、板状カム１２２の回動中心部１２２ａから鋸歯円板１２１の外周部に向けて、その半径方向に向け外方に凸な湾曲形状となるように延出形成されている。
【０１０７】
ここで、ローラ９２ｈが湾曲状カム面１２２ｂのうち湾曲板状カム１２２の回動中心部１２２ａ側の部位に摺接するとき、槌部材９３は、その球打撃回動位置に位置する。また、ローラ９２ｈが湾曲状カム面１２２ｂのうち鋸歯円板１２１の外周部側の部位（湾曲状カム面１２２ｂの延出端部）に摺接するとき、槌部材９３は、その後退回動位置に位置する。
【０１０８】
また、板状カム１２２は、湾曲状案内面１２２ｃにて、湾曲状カム面１２２ｂの延出端部のローラ９２ｈからの解離後、ステップモータ１１０の上記一方向回転に伴い、槌部材９３をその後退回動位置からコイルスプリング９４の引っ張り力のもとに球打撃回動位置まで瞬時に回動させるように、Ｔ字状回動板９２のローラ９２ｈを湾曲状カム面１２２ｂの延出端部から板状カム１２２の回動中心部１２２ａまで瞬時に案内するように構成されている。
【０１０９】
換言すれば、湾曲状案内面１２２ｃは、ステップモータ１１０の上記一方向回転に伴い、槌部材９３をその後退回動位置からコイルスプリング９４の引っ張り力のもとに球打撃回動位置まで瞬時に回動させるように、湾曲状カム面１２２ｂ側へ凸な湾曲形状に延出形成されている。
【０１１０】
腕状係止片１２３は、その傾動中心部１２３ａにて、支持壁１０１の右上隅角部にその前側から傾動可能に支持されており、当該腕状係止片１２３は、その傾動中心部１２３ａから鋸歯円板１２１の右上側に向け傾斜状に延出している。
【０１１１】
当該腕状係止片１２３は、係止爪部１２３ｂを有しており、この係止爪部１２３ｂは、腕状係止片１２３の延出端部から鋸歯円板１２１の外周部に向け突出するように形成されている。
【０１１２】
また、腕状係止片１２３のうち傾動中心部１２３ａから係止爪部１２３ｂ側への延出部位は、腕状係止片１２３のうち傾動中心部１２３ａを基準として係止爪部１２３ｂとは反対側部位よりも重くなっている。
【０１１３】
従って、当該腕状係止片１２３は、その自重により、傾動中心部１２３ａを中心として、鋸歯円板１２１の外周部に向けその右上側から傾動して、係止爪部１２３ｂにより、ステップモータ１１０の上記一回転方向に向け、鋸歯円板１２１の一連の鋸歯部１２１ａのうち右上側鋸歯部に係止して鋸歯円板１２１の上記一回転方向とは逆方向への回転を禁止する。
【０１１４】
以上のように構成した本第１実施形態において、現段階では、遊技球は、図１１にて示すごとく、球送り装置Ｇの送り装置本体Ｇｂ内には導入されていないものとする。このとき、回動板９２は、コイルスプリング９４による引っ張り力のもとに、槌部材９３をその球打撃回動位置に維持してなる回動位置にある（図７参照）。
【０１１５】
これに伴い、回動アーム９５は、その自重により、Ｊ字状湾曲部９５ｃにて、図１１にて図示時計方向回動端（遊技盤５０の前側から見て時計方向回動端）に位置し、球送り装置Ｇの傾動機構８０が、その錘８０ｂにて、その自重のもとに、回動アーム９５の押動片部９５ｂの直上の下動端に位置し、Ｓ字状湾曲片８２が、その下側湾曲部８２ｂにて、球導入路７３の下端開口部の上下方向中間部位に対向している。
【０１１６】
また、腕状係止片１２３は、その係止爪部１２３ｂにて、鋸歯円板１２１の一連の鋸歯部１２１ａのうち右上側鋸歯部に係止して鋸歯円板１２１の上記一回転方向とは逆方向への回転を禁止し、湾曲板状カム１２２が、回動中心部１２２ａにて回動板９２のローラ９２ｈにより当接されている。
【０１１７】
このような段階において球受け皿３０内に払い出された遊技球が、図１２にて模式的に示すごとく、順次、球受け皿３０の球整列部３２から連通路３３及び球導入口部６１ａを通り球導入路７３にその上端開口部から整列状に導入されると、これら各遊技球は、 HYPERLINK "http://www8.ipdl.inpit.go.jp/Tokujitu/tjitemdrwkt.ipdl?N0000=235&N0001=24&N0005=tBSo7DoD3g56y83sEBCV&N0500=4JPA%20424090917%20%20%20%20%20%20%20&N0510=NCWnWIl0CbnwZ7alh4n4&N0552=9&N0553=000015" \t "tjitemdrwkt" 図１３にて示すごとく、突出壁部７３ｄの上面に沿い球導入路７３の下端開口部に向けて整列状に案内される。
【０１１８】
ここで、上述のごとく、Ｓ字状湾曲片８２が、その下側湾曲部８２ｂにて、球導入路７３の下端開口部の上下方向中間部位に対向しているため、球導入路７３の下端開口部に最初に達した遊技球Ｍ１が、Ｓ字状湾曲片８２の下側湾曲部８２ｂの左端部に当接して球導入路７３の下端開口部内に維持される。
【０１１９】
このため、球導入路７３内においては、遊技球Ｍ１に後続する遊技球Ｍ２が、遊技球Ｍ１にその後方から当接するとともに、遊技球Ｍ２に後続する遊技球Ｍ３が遊技球Ｍ２にその後方から当接する。これにより、球導入路７３内においては、各遊技球Ｍ１〜Ｍ３のうち少なくとも各遊技球Ｍ１、Ｍ２が、図１３にて示すごとく、突出壁部７３ｄの上面に沿い一列に整列して維持される。
【０１２０】
然る後、ステップモータ１１０が上記一回転方向へ回転すると、鋸歯円板１２１及び湾曲板状カム１２２が、上記一回転方向へ回転し、回動板９２が、コイルスプリング９４の引っ張り力に抗して上記一回転方向とは反対方向に回動し、槌部材９３が、その後退回動位置に向けて回動板９２と同一方向に回転し、槌部９３ｃを上記球打撃回動位置から後退させる（図１４〜図１６参照）。
【０１２１】
これに伴い、回動アーム９５が、Ｊ字状湾曲部９５ｃの先端部にて、回動板９２のローラ９２ｉにより押動されて、当該回動板９２の回動方向とは反対方向（上記一回転方向）に回動する。このため、錘８０ｂが、その自重に抗して、回動アーム９５の押動片部９５ｂにより押し上げられていく（図１４〜図１６参照）。このとき、錘８０ｂは、押動片部９５ｂによりその平面状基部ａから平面状傾斜部ｂにかけて押し上げられていく。
【０１２２】
このような過程において、Ｓ字状湾曲片８２が、錘８０ｂの押し上げに伴い、傾動して、下側湾曲部８２ｂを、球導入路７３の下端開口部の上下方向中間部位から下方へ移動させる（図１４〜図１６参照）。
【０１２３】
これに伴い、下側湾曲部８２ｂが、その左端部にて、球導入路７３の下端開口部の下縁部位に対向したとき、球導入路７３内の遊技球Ｍ１が、下側湾曲部８２ｂの上面に移動する（図１６及び図１７参照）。このことは、Ｓ字状湾曲片８２が、下側湾曲部８２ｂにて遊技球Ｍ１を下方から受承することを意味する。
【０１２４】
このような状態にて、回動板９２のローラ９２ｈが、湾曲板状カム１２２の延出端部から解離すると、回動板９２が、コイルスプリング９４の引っ張り力のもとに、図１６にて図示反時計方向（遊技盤５０の前側から見て反時計方向）に瞬時に回動して、ローラ９２ｉを回動アーム９５のＪ字状湾曲部９５ｃの先端部から解離させる方向に移動させるとともに、槌部材９３が、回動板９２と同様に瞬時に回動して、その槌部９３ｃにて、球打撃回動位置に復帰する。
【０１２５】
また、このような過程においては、回動アーム９５が、その自重のもとに、図１６にて図示時計方向（遊技盤５０の前側から見て時計方向）に回動して、押動片部９５ｂを下動させる。これに追随して、錘８０ｂが、その自重のもとに下動し、Ｓ字状湾曲片８２が、下側湾曲部８２ｂを上動させる（図１８及び図１９参照）。これにより、下側湾曲部８２ｂ上の遊技球Ｍ１が、ケーシング部材７０の球送り口部７１ｃを通り球発射装置Ｊの発射レール９０ｂの基端部上に送り出される（図２０参照）。なお、Ｓ字状湾曲片８２は、その下側湾曲部８２ｂの上動に伴い、各遊技球Ｍ２、Ｍ３を球誘導路７３内に維持することとなる。
【０１２６】
しかして、上述のように、槌部材９３が球打撃回動位置に復帰するとともに、遊技球Ｍ１が、発射レール９０ｂの基端部上に送り出されると、当該遊技球Ｍ１は、槌部材９３によりその槌部９３ｃにて打たれて発射レール９０ｂに沿いガイドレール５１の内側レール部５１ａ及び外側レール部５１ｂの間に向けて発射される（図２０にて図示矢印参照）。
【０１２７】
ところで、遊技球Ｍ１が、糸付き遊技球として、球受け皿３０の凹状貯留部３１内に貯留された遊技球であれば、当該糸付き遊技球（以下、糸付き遊技球Ｍ１ともいう）は、糸ｔ（図２１参照）を付随させながら、図２０で図示矢印にて示すような階段状に折れ曲がる方向に沿い、球受け皿３０の球整列部３２から連通路３３及び球導入口部６１ａを通り球導入路７３にその上端開口部から導入される。なお、糸付き遊技球は、遊技球の外周面に糸ｔの一端部を固着して構成されている。また、糸ｔは、その他端部にて、遊技者の手により受け皿３０内にて把持されているものとする。
【０１２８】
このため、糸付き遊技球Ｍ１が上述のように球導入路７３にその上端開口部から導入される過程においては、上述のような当該遊技球Ｍ１の階段状に折れ曲がる方向への移動に伴い、糸ｔも、同様に階段状に折れ曲がる方向に遊技球Ｍ１に付随しながら、突出壁部７３ｄの上面に沿い球導入路７３の下端開口部に向けて導入される。
【０１２９】
しかして、上述したように、Ｓ字状湾曲片８２が、下側湾曲部８２ｂにて当該糸付き遊技球Ｍ１を受承した後この糸付き遊技球Ｍ１をケーシング部材７０の球送り口部７１ｃを通り球発射装置Ｊの発射レール９０ｂの基端部上に送り出すと、糸ｔは、その他端部にて、球受け皿３０内で把持された状態にて、糸付き遊技球Ｍ１に付随して、球送り口部７１ｃを通り発射レール９０ｂの基端部上に引っ張り出される。
【０１３０】
即ち、糸ｔは、以上のようにして、糸付き遊技球Ｍ１により、図２０にて矢印にて示すごとく、受け皿３０から上記階段状に折れ曲がるような経路を経てケーシング７０の球送り口部７１ｃを通り発射レール９０ｂの基端部上に引っ張り出される。
【０１３１】
ここで、糸付き遊技球Ｍ１が、Ｓ字状湾曲片８２の下側湾曲部８２ｂにより受承された状態では、当該糸付き遊技球Ｍ１は、球導入路７３内にて突出壁部７３ｄ上に整列する各遊技球Ｍ３、Ｍ２により下側湾曲部８２ｂ上に押し付けられている。
【０１３２】
このため、上述のように糸付き遊技球Ｍ１が発射レール９０ｂの基端部上に送り出されたとき、当該糸付き遊技球Ｍ１の糸ｔは、球導入口部６１ａから下側湾曲部８２ｂ上へ遊技球の発射方向とは逆方向へ遊技球Ｍ１により確実に引っ張られた上で、球送り口部７１ｃを通り発射レール９０ｂの基端部上に引っ張り出される。
【０１３３】
このような状態において、糸付き遊技球Ｍ１が上述のように槌部材９３により打たれて発射レール９０ｂに沿い発射されると、当該糸付き遊技球Ｍ１は、糸ｔを付随させながら、当該糸ｔと共に、ケーシング７０の後壁７１に沿い内側レール部５１ａ及び外側レール部５１ｂの間に向けて瞬時に移動することとなる。
【０１３４】
ここで、球導入口部６１ａは、上述したごとく、コ字状凹所６０の底壁６１の左上側隅角部に形成されている。一方、球送り口部７１ｃが、上述したごとく、球導入路７３の下端開口部の近傍にて、底壁６１にその後側にて対向する後壁７１の左右方向下側中間部位に開口形成されている。従って、球送り口部７１ｃが、球導入口部６１ａの右側斜め下後方に位置ずれして位置するようにケーシング７０の後壁７１に形成されていることになる。
【０１３５】
換言すれば、球送り口部７１ｃが、球導入口部６１ａに対し、糸付き遊技球Ｍ１の発射方向とは逆方向にかつ斜め後側下方に位置ずれして位置する。このことは、球導入口部６１ａの右側内縁部が、球送り口部７１ｃの左側内縁部よりも斜め左上前側に位置ずれして位置することを意味する。
【０１３６】
さらに、糸付き遊技球Ｍ１の発射方向は、ケーシング７０の後壁７１の後面に沿う方向であることから、糸付き遊技球Ｍ１の発射方向と球導入口部６１ａの右側内縁部及び球送り口部７１ｃの左側内縁部を結ぶ直線との間に張る角度は、小さな鋭角となる。
【０１３７】
このため、糸ｔが、上述のように、糸付き遊技球Ｍ１と共に発射レール９０ｂに沿い瞬時に移動する過程においては、当該糸ｔは、球導入口部６１ａと球送り口部７１ｃとの間にて球導入口部６１ａの右側内縁部から球送り口部７１ｃの左側内縁部に向け後側斜め下方向に引っ張られた状態にて、上記小さな鋭角でもって、ケーシング７０の後壁７１の後面に沿い発射レール９０ｂにおける糸付き遊技球Ｍ１の発射方向へ瞬時に移動することなる。
【０１３８】
ここで、上述のように球導入口部６１ａの右側内縁部が、球送り口部７１ｃの左側内縁部よりも斜め左上前側に位置ずれして位置するとともに、糸付き遊技球Ｍ１の発射方向と球導入口部６１ａの右側内縁部及び球送り口部７１ｃの左側内縁部を結ぶ直線との間に張る角度が小さな鋭角であることから、糸ｔは、球導入口部６１ａの右側内縁部から球送り口部７１ｃの左側内縁部にかけて斜め右下後側へ引っ張られ、球送り口部７１ｃの左側内縁部を介し上記小さな鋭角のもとに、糸付き遊技球Ｍ１の発射レール９０ａに沿う瞬時の移動速度に応じた引っ張り力でもって引っ張られる。
【０１３９】
このため、糸ｔは、上記小さな鋭角のもとに、上記引っ張り力に応じて球導入口部６１ａの右側内縁部と球送り口部７１ｃのうちの左側内縁部（球送り口部７１ｃの内周縁部のうち発射方向側部位）の内縁部ｅ（図２１参照）との間に生ずる各接触摩擦力の作用を受けて、球導入口部６１ａの右側内縁部及び球送り口部７１ｃの内縁部ｅと摩擦接触しながら移動することを余儀なくされる。ここで、球送り口部７１ｃの内縁部ｅは、上述のごとく、球送り口部７１ｃの内周縁部のうち発射方向側部位のうち上記傾斜部位の下方部位でもって形成されている。これに伴い、糸ｔが、球送り口部７１ｃの内周縁部のうち発射方向側部位の傾斜部位と摩擦接触しても、当該糸ｔは、上記傾斜部位に沿い下方へ摩擦接触移動しつつ内縁部ｅに達する。
【０１４０】
従って、糸ｔは、球送り口部７１ｃから糸付き遊技球Ｍ１の発射方向には円滑には引っ張り出され得ず、遊技球Ｍ１が、遊技盤５０の遊技領域内に転動していくことがない。
【０１４１】
その結果、遊技球Ｍ１が上述のように糸付き遊技球であっても、当該糸付き遊技球を用いた遊技盤の盤面上における遊技者による不正行為が未然に防止され得る。
（第２実施形態）
次に、本発明の第２実施形態について説明すると、この第２実施形態においては、ケーシング７０の球送り口部７１ｃの内周縁部のうち遊技球の発射方向側内縁部ｅには、切り込み部ｅ１（切り込み溝部ｅ１）が、図２２にて示すごとく形成されている。
【０１４２】
ここで、切り込み部ｅ１は、図２２にて示すごとく、球送り口部７１ｃの発射方向側内縁部ｅの一部に、球送り口部７１ｃの内部から図示右方（遊技盤５０の前側から見て左方）へＵ字状に切り込むことで形成されている。なお、切り込み部ｅ１の内幅は、糸ｔの外径よりも幾分大きい程度である。その他の構成は、上記第１実施形態と同様である。
【０１４３】
このように構成した本第２実施形態において、上記第１実施形態と同様に、糸付き遊技球Ｍ１がケーシング７０の球送り口部７１ｃから送り出されて槌部材９３により打たれると、当該糸付き遊技球Ｍ１は、上記第１実施形態と同様に発射レール９０ｂに沿い瞬時に移動しようとする。
【０１４４】
このとき、糸ｔが、球送り口部７１ｃから瞬時に引っ張り出される過程にて、ケーシング７０の球送り口部７１ｃの切り込み部ｅ１内に嵌り込むことで、当該切り込み部ｅ１の内面と強固に摩擦接触することとなる。
【０１４５】
このため、糸ｔは、球送り口部７１ｃから円滑には引っ張り出され得ず、糸付き遊技球Ｍ１が、遊技盤５０の遊技領域内に転動していくことがない。
【０１４６】
また、糸ｔが、切り込み部ｅ１の内面との摩擦接触により切断されれば、糸付き遊技球Ｍ１は、糸ｔのうち少なくともその他端側部位とは分離されることとなる。従って、当該遊技球が遊技領域内に転動しても、遊技者は、当該遊技球を利用して遊技盤５０の盤面における不正行為を行うことはできない。
【０１４７】
なお、本発明の実施にあたり、上記各実施形態に限ることなく、次のような種々の変形例が挙げられる。
（１）本発明の実施にあたり、球送り口部７１ｃの発射方向側内縁部ｅは、その厚さ方向にテーパ状に形成されていてもよい。例えば、発射方向側内縁部ｅは、発射レール９０ｂの基端部側から球送り口部７１ｃの導入路７３の下端開口部側にかけて遊技球の発射方向側へテーパ状となるように、形成されていてもよい。
（２）本発明の実施にあたり、球送り口部７１ｃの発射方向側内縁部ｅに形成した切り込み部ｅ１は、Ｕ字状に限ることなく、例えば、Ｖ字状であってもよい。また、切り込み部ｅ１は、複数であってもよい。
【符号の説明】
【０１４８】
３０…球受け皿、３２…球整列部、３３…連通路、６１…底壁、６１ａ…球導入口部、
７０…ケーシング部材、７１…後壁、７３…球導入路、８０…傾動機構、８０ｂ…錘、
８１ｃ…右側支持腕部、８２…Ｓ字状湾曲片、８２ａ…上側湾曲部、８２ｂ…下側湾曲部、
９２…Ｔ字状回動板、９３…槌部材、９３ｃ…槌部、９４…コイルスプリング、
９５…回動アーム、１１０…ステップモータ、１２１…鋸歯円板、１２２…湾曲板状カム、
１２３…腕状係止片、ｅ…発射方向側内縁部、ｅ１…切り込み部、Ｇ…球送り装置、
Ｊ…球発射装置。
【図１】
0005514287.tif 000002
【図２】
0005514287.tif 000003
【図３】
0005514287.tif 000004
【図４】
0005514287.tif 000005
【図５】
0005514287.tif 000006
【図６】
0005514287.tif 000007
【図７】
0005514287.tif 000008
【図８】
0005514287.tif 000009
【図９】
0005514287.tif 000010
【図１０】
0005514287.tif 000011
【図１１】
0005514287.tif 000012
【図１２】
0005514287.tif 000013
【図１３】
0005514287.tif 000014
【図１４】
0005514287.tif 000015
【図１５】
0005514287.tif 000016
【図１６】
0005514287.tif 000017
【図１７】
0005514287.tif 000018
【図１８】
0005514287.tif 000019
【図１９】
0005514287.tif 000020
【図２０】
0005514287.tif 000021
【図２１】
0005514287.tif 000022
【図２２】
0005514287.tif 000023